(57)【要約】【課題】盤間配線の設置作業を簡素化し、かつ、盤間配線の設置作業の作業性を向上させることが可能な電力変換装置を提供する。【解決手段】この電力変換装置１００は、発電装置１０と蓄電池５０とを備える電力変換システム１００に用いられる電力変換装置２００であって、発電装置１０用の発電装置チョッパ回路２０が設けられた発電装置チョッパ盤２１０と、蓄電池５０用の蓄電池チョッパ回路６０が設けられた蓄電池チョッパ盤２２０と、発電装置チョッパ回路２０および蓄電池チョッパ回路６０と接続されるインバータ回路３０が設けられたインバータ盤２３０と、を備える。そして、発電装置チョッパ回路２０および蓄電池チョッパ回路６０のうちの少なくともいずれか一方と、インバータ回路３０とは、各回路が設けられた各盤内に配置された盤間配線２４０により、盤内で接続されている。【選択図】図２
2019037074.tif 000002
【特許請求の範囲】
【請求項１】
発電装置と蓄電池とを備える電力変換システムに用いられる電力変換装置であって、
前記発電装置用の発電装置チョッパ回路が設けられた発電装置チョッパ盤と、
前記蓄電池用の蓄電池チョッパ回路が設けられた蓄電池チョッパ盤と、
前記発電装置チョッパ回路および前記蓄電池チョッパ回路と接続されるインバータ回路が設けられたインバータ盤と、を備え、
前記発電装置チョッパ回路および前記蓄電池チョッパ回路のうちの少なくともいずれか一方と、前記インバータ回路とは、各回路が設けられた各盤内に配置された盤間配線により、盤内で接続されている、電力変換装置。
【請求項２】
前記発電装置チョッパ回路、前記蓄電池チョッパ回路および前記インバータ回路は、盤内に配置された盤間配線により、各回路が設けられた各盤内で接続されている、請求項１に記載の電力変換装置。
【請求項３】
前記発電装置チョッパ盤は、前記発電装置チョッパ回路が設けられた発電装置電力変換盤と、第１遮断器が設けられた発電装置端子盤と、を含み、
前記蓄電池チョッパ盤は、前記蓄電池チョッパ回路が設けられた蓄電池電力変換盤と、第２遮断器が設けられた蓄電池端子盤と、を含み、
前記発電装置チョッパ回路および前記第１遮断器は、前記発電装置チョッパ回路または前記第１遮断器が設けられた各盤内に配置された盤間配線により、盤内で互いに接続されており、
前記蓄電池チョッパ回路および前記第２遮断器は、前記蓄電池チョッパ回路または前記第２遮断器が設けられた各盤内に配置された盤間配線により、盤内で互いに接続されている、請求項１または２に記載の電力変換装置。
【請求項４】
前記発電装置チョッパ盤および前記蓄電池チョッパ盤は、共通の位置に、盤間配線を配置するための配線配置部を有する、請求項１〜３のいずれか１項に記載の電力変換装置。
【請求項５】
前記発電装置チョッパ盤は、前記発電装置チョッパ回路が設けられた発電装置電力変換盤と、第１遮断器が設けられた発電装置端子盤と、を含み、
前記蓄電池チョッパ盤は、前記蓄電池チョッパ回路が設けられた蓄電池電力変換盤と、第２遮断器が設けられた蓄電池端子盤と、を含み、
前記発電装置電力変換盤および前記蓄電池電力変換盤は、共通の仕様の盤により構成されている、請求項４に記載の電力変換装置。
【請求項６】
前記発電装置端子盤および前記蓄電池端子盤は、共通の位置に、盤間配線を配置するための配線配置部を有する、請求項５に記載の電力変換装置。
【請求項７】
前記発電装置チョッパ盤、前記蓄電池チョッパ盤および前記インバータ盤のうちの隣接する盤同士では、盤間配線を配置するための配線配置部が、互いに対向する位置に配置されている、請求項１〜６のいずれか１項に記載の電力変換装置。
【請求項８】
前記発電装置チョッパ盤は、前記発電装置チョッパ回路が設けられた発電装置電力変換盤と、第１遮断器が設けられた発電装置端子盤と、を含み、
前記蓄電池チョッパ盤は、前記蓄電池チョッパ回路が設けられた蓄電池電力変換盤と、第２遮断器が設けられた蓄電池端子盤と、を含み、
前記発電装置電力変換盤および前記蓄電池電力変換盤のうちの少なくともいずれか一方は２以上設けられており、
２以上の前記発電装置電力変換盤または前記蓄電池電力変換盤は、互いに隣接するように配置されており、２以上の前記発電装置電力変換盤または前記蓄電池電力変換盤のうちの隣接する盤同士では、盤間配線を配置するための配線配置部が、互いに対向する位置に配置されている、請求項１〜７のいずれか１項に記載の電力変換装置。
【発明の詳細な説明】
【技術分野】
【０００１】
この発明は、電力変換装置に関し、特に、発電装置と蓄電池とを備える電力変換システムに用いられる電力変換装置に関する。
【背景技術】
【０００２】
従来、発電装置と蓄電池とを備える電力変換システムに用いられる電力変換装置が知られている（たとえば、特許文献１参照）。
【０００３】
上記特許文献１には、太陽光発電装置や燃料電池装置などの発電装置と蓄電池とを備える電力変換システムに用いられる電力変換装置が開示されている。この電力変換装置には、発電装置用のＤＣ／ＤＣコンバータ、蓄電池用のＤＣ／ＤＣコンバータ、および、これらのＤＣ／ＤＣコンバータと接続されるインバータが設けられている。この電力変換装置では、インバータからの交流電力が、系統に供給される。このような電力変換装置では、一般的に、インバータ回路やＤＣ／ＤＣコンバータ回路などの電力変換回路は、盤内に設けられる。
【先行技術文献】
【特許文献】
【０００４】
【特許文献１】特開２０１５−１３３８７０号公報
【発明の概要】
【発明が解決しようとする課題】
【０００５】
上記特許文献１に記載されるような電力変換装置であって、家庭向けなどの小容量（たとえば、数キロワット）の電力変換装置では、１つの盤（筐体を含む。以下同じ。）に、インバータ回路やＤＣ／ＤＣコンバータ回路などの複数の電力変換回路が設けられることが多い。一方、メガソーラ向けなどの大容量（たとえば、数メガワット）の電力変換装置では、１つの盤に複数の電力変換回路を設けると盤が大型化するとともに、重量が大きくなるため、電力変換回路毎に盤が設けられることが多い。また、電力変換回路毎に盤が設けられる場合、互いに異なる盤に設けられた電力変換回路同士を盤間において電気的に接続する必要がある。この場合、従来では、互いに異なる盤に設けられた電力変換回路同士を、盤外に配置された盤間配線により接続する。
【０００６】
しかしながら、互いに異なる盤に設けられた電力変換回路同士を盤外に配置された盤間配線により接続する場合、盤外に盤間配線を配置するスペースを設ける必要が有るとともに、盤外に盤間配線用のスペースを設けるための工事が必要になる。このため、盤間配線の設置作業が煩雑であるという問題点がある。
【０００７】
また、盤間配線を盤外に配置する場合、作業者などが盤間配線に意図せず触れることを考慮して絶縁物により被覆されたケーブルを盤間配線として用いる場合がある。ケーブルを盤間配線として用いる場合、ケーブルを曲げて接続を行う必要があるが、大容量の電力変換装置では使用するケーブルの径が大きくなり、ケーブルが曲がりにくくなるため、盤間配線の設置作業が行いにくくなる。このため、盤間配線の設置作業の作業性が低下するという問題点がある。
【０００８】
この発明は、上記のような課題を解決するためになされたものであり、この発明の１つの目的は、盤間配線の設置作業を簡素化し、かつ、盤間配線の設置作業の作業性を向上させることが可能な電力変換装置を提供することである。
【課題を解決するための手段】
【０００９】
上記目的を達成するために、この発明の一の局面による電力変換装置は、発電装置と蓄電池とを備える電力変換システムに用いられる電力変換装置であって、発電装置用の発電装置チョッパ回路が設けられた発電装置チョッパ盤と、蓄電池用の蓄電池チョッパ回路が設けられた蓄電池チョッパ盤と、発電装置チョッパ回路および蓄電池チョッパ回路と接続されるインバータ回路が設けられたインバータ盤と、を備え、発電装置チョッパ回路および蓄電池チョッパ回路のうちの少なくともいずれか一方と、インバータ回路とは、各回路が設けられた各盤内に配置された盤間配線により、盤内で接続されている。
【００１０】
この発明の一の局面による電力変換装置では、上記のように、発電装置チョッパ回路および蓄電池チョッパ回路のうちの少なくともいずれか一方と、インバータ回路とを、各回路が設けられた各盤内に配置された盤間配線により、盤内で接続する。これにより、盤外に配置された盤間配線により互いに異なる盤に設けられた回路同士を接続する場合と異なり、盤外に盤間配線を配置するスペース自体を省くことができる。その結果、盤外に盤間配線用のスペースを設けるための工事を行う手間を省くことができるので、盤間配線の設置作業を簡素化することができる。また、盤内に盤間配線が配置されるため、盤間配線として絶縁物により被覆されたケーブルを用いる必要が無く、たとえば金属板などの盤間配線により互いに異なる盤に設けられた回路同士を接続することができるので、盤間配線の設置作業の作業性を向上させることができる。
【００１１】
上記一の局面による電力変換装置において、好ましくは、発電装置チョッパ回路、蓄電池チョッパ回路およびインバータ回路は、各回路が設けられた各盤内に配置された盤間配線により、盤内で接続されている。このように構成すれば、発電装置チョッパ回路、蓄電池チョッパ回路およびインバータ回路の全部を盤内で接続することができるので、盤間配線の設置作業をより簡素化し、かつ、盤間配線の設置作業の作業性をより向上させることができる。
【００１２】
上記一の局面による電力変換装置において、好ましくは、発電装置チョッパ盤は、発電装置チョッパ回路が設けられた発電装置電力変換盤と、第１遮断器が設けられた発電装置端子盤と、を含み、蓄電池チョッパ盤は、蓄電池チョッパ回路が設けられた蓄電池電力変換盤と、第２遮断器が設けられた蓄電池端子盤と、を含み、発電装置チョッパ回路および第１遮断器は、発電装置チョッパ回路または第１遮断器が設けられた各盤内に配置された盤間配線により、盤内で互いに接続されており、蓄電池チョッパ回路および第２遮断器は、蓄電池チョッパ回路または第２遮断器が設けられた各盤内に配置された盤間配線により、盤内で互いに接続されている。このように、発電装置チョッパ盤が、発電装置チョッパ回路が設けられた発電装置電力変換盤と、第１遮断器が設けられた発電装置端子盤と、を含むように構成すれば、強制冷却等の強い冷却を必要とする発電装置チョッパ回路が設けられた発電装置電力変換盤と、強い冷却を必要としない第１遮断器が設けられた発電装置端子盤とに、発電装置チョッパ盤を分割することができる。その結果、発電装置チョッパ盤の各盤の冷却構造を適正化することができる。同様に、蓄電池チョッパ盤が、蓄電池チョッパ回路が設けられた蓄電池電力変換盤と、第２遮断器が設けられた蓄電池端子盤と、を含むように構成すれば、強い冷却を必要とする蓄電池チョッパ回路が設けられた蓄電池電力変換盤と、強い冷却を必要としない第２遮断器が設けられた蓄電池端子盤とに、蓄電池チョッパ盤を分割することができる。その結果、蓄電池チョッパ盤の各盤の冷却構造を適正化することができる。また、発電装置チョッパ回路および第１遮断器が、盤内に配置された盤間配線により、盤内で互いに接続されるように構成すれば、発電装置チョッパ回路および第１遮断器においても、盤間配線の設置作業を簡素化し、かつ、盤間配線の設置作業の作業性を向上させることができる。同様に、蓄電池チョッパ回路および第２遮断器が、盤内に配置された盤間配線により、盤内で互いに接続されるように構成すれば、蓄電池チョッパ回路および第２遮断器においても、盤間配線の設置作業を簡素化し、かつ、盤間配線の設置作業の作業性を向上させることができる。
【００１３】
上記一の局面による電力変換装置において、好ましくは、発電装置チョッパ盤および蓄電池チョッパ盤は、共通の位置に、盤間配線を配置するための配線配置部を有する。なお、共通の位置とは、発電装置チョッパ盤における配線配置部の位置と、蓄電池チョッパ盤における配線配置部の位置とが、同じ位置に位置していることを意味する。このように構成すれば、配線配置部の位置を発電装置チョッパ盤および蓄電池チョッパ盤で共通にすることができるので、発電装置チョッパ盤および蓄電池チョッパ盤毎に配線配置部の位置を設計する必要が無い。その結果、発電装置チョッパ盤および蓄電池チョッパ盤の開発期間を短縮することができる。また、発電装置チョッパ盤および蓄電池チョッパ盤の位置を入れ替えることができるので、たとえば電力変換装置を購入する顧客の要求により、発電装置チョッパ盤および蓄電池チョッパ盤の位置を入れ替える場合にも、追加で開発することなく対応することができる。
【００１４】
この場合、好ましくは、発電装置チョッパ盤は、発電装置チョッパ回路が設けられた発電装置電力変換盤と、第１遮断器が設けられた発電装置端子盤と、を含み、蓄電池チョッパ盤は、蓄電池チョッパ回路が設けられた蓄電池電力変換盤と、第２遮断器が設けられた蓄電池端子盤と、を含み、発電装置電力変換盤および蓄電池電力変換盤は、共通の仕様の盤により構成されている。このように構成すれば、発電装置電力変換盤および蓄電池電力変換盤毎に盤を設計する必要が無いので、発電装置電力変換盤および蓄電池電力変換盤の開発期間を効果的に短縮することができる。なお、各チョッパ盤を分割して盤の数が多くなる場合、盤毎に開発を要するため、開発期間が長くなりやすい。このような場合に、開発期間を短縮できることは、非常に効果的である。
【００１５】
上記発電装置電力変換盤および蓄電池電力変換盤が共通の仕様の盤により構成されている構成において、好ましくは、発電装置端子盤および蓄電池端子盤は、共通の位置に、盤間配線を配置するための配線配置部を有する。なお、共通の位置とは、発電装置端子盤における配線配置部の位置と、蓄電池端子盤における配線配置部の位置とが、同じ位置に位置していることを意味する。このように構成すれば、発電装置端子盤および蓄電池端子盤においても、開発期間を短縮することができる。また、発電装置電力変換盤および蓄電池電力変換盤が共通の仕様の盤により構成されている場合に、発電装置端子盤および蓄電池端子盤が、共通の位置に、盤間配線を配置するための配線配置部を有するように構成すれば、発電装置端子盤および蓄電池端子盤の位置を入れ替えるだけで、発電装置チョッパ盤および蓄電池チョッパ盤の位置を入れ替えることができる。つまり、発電装置電力変換盤および蓄電池電力変換盤が共通の仕様の盤により構成されている場合、発電装置電力変換盤を蓄電池電力変換盤として機能させ、蓄電池電力変換盤を発電装置電力変換盤として機能させることができるので、発電装置端子盤および蓄電池端子盤の位置を入れ替えれば、実質的に、発電装置チョッパ盤および蓄電池チョッパ盤の位置を入れ替えることができる。その結果、発電装置チョッパ盤および蓄電池チョッパ盤の位置を入れ替える場合に、入れ替え作業の作業性を向上させることができる。
【００１６】
上記一の局面による電力変換装置において、好ましくは、発電装置チョッパ盤、蓄電池チョッパ盤およびインバータ盤のうちの隣接する盤同士では、盤間配線を配置するための配線配置部が、互いに対向する位置に配置されている。このように構成すれば、盤間配線の形状を簡素化することができるとともに、盤間配線の長さを小さくすることができる。
【００１７】
上記一の局面による電力変換装置において、好ましくは、発電装置チョッパ盤は、発電装置チョッパ回路が設けられた発電装置電力変換盤と、第１遮断器が設けられた発電装置端子盤と、を含み、蓄電池チョッパ盤は、蓄電池チョッパ回路が設けられた蓄電池電力変換盤と、第２遮断器が設けられた蓄電池端子盤と、を含み、発電装置電力変換盤および蓄電池電力変換盤のうちの少なくともいずれか一方は２以上設けられており、２以上の発電装置電力変換盤または蓄電池電力変換盤は、互いに隣接するように配置されており、２以上の発電装置電力変換盤または蓄電池電力変換盤のうちの隣接する盤同士では、盤間配線を配置するための配線配置部が、互いに対向する位置に配置されている。このように構成すれば、２以上の発電装置電力変換盤または蓄電池電力変換盤においても、盤間配線の形状を簡素化することができるとともに、盤間配線の長さを小さくすることができる。
【発明の効果】
【００１８】
本発明によれば、上記のように、盤間配線の設置作業を簡素化し、かつ、盤間配線の設置作業の作業性を向上させることができる。
【図面の簡単な説明】
【００１９】
【図１】第１実施形態による電力変換システムを示す模式図である。
【図２】第１実施形態による電力変換装置の盤構成を示す図である。
【図３】第２実施形態による電力変換装置の盤構成を示す図である。
【発明を実施するための形態】
【００２０】
以下、本発明を具体化した実施形態を図面に基づいて説明する。
【００２１】
［第１実施形態］
図１を参照して、第１実施形態による電力変換システム１００の構成について説明する。
【００２２】
（電力変換システムの構成）
電力変換システム１００は、電力を発電するとともに、発電された電力を供給するシステムである。
【００２３】
図１に示すように、電力変換システム１００は、発電装置１０と、発電装置チョッパ回路２０と、インバータ回路３０と、連係トランス４０と、蓄電池５０と、蓄電池チョッパ回路６０とを備えている。発電装置１０は、太陽光電池であり、直流電力を発電可能に構成されている。発電装置チョッパ回路２０は、発電装置１０用のチョッパ回路であり、発電装置１０から供給された直流電力の電圧を昇圧可能に構成されている。インバータ回路３０は、発電装置チョッパ回路２０および蓄電池チョッパ回路６０と接続されており、直流電力を交流電力に変換可能に構成されている。連係トランス４０は、インバータ回路３０から供給された交流電力の電圧を系統７０に供給するための系統電圧に変換して、系統７０に連係させることが可能なように構成されている。蓄電池５０は、充放電可能な電池であり、発電装置１０から供給された電力により充電可能でかつ充電された電力を供給可能に構成されている。蓄電池チョッパ回路６０は、蓄電池５０から供給された直流電力の電圧を昇圧可能でかつ発電装置１０から供給された直流電力を降圧可能に構成されている。
【００２４】
たとえば、電力変換システム１００は、発電装置１０により発電された直流電力を発電装置チョッパ回路２０により昇圧させ、昇圧させた直流電力をインバータ回路３０により交流電力に変換させ、変換させた交流電力を連係トランス４０により系統電圧に変換させ、変換させた交流電力を系統７０に連係させるように動作する。
【００２５】
また、たとえば、電力変換システム１００は、発電装置１０により発電された直流電力を発電装置チョッパ回路２０により昇圧させ、昇圧させた直流電力を蓄電池チョッパ回路６０により降圧させ、降圧させた直流電力により蓄電池５０を充電するように動作する。
【００２６】
また、たとえば、電力変換システム１００は、蓄電池５０から供給される直流電力を蓄電池チョッパ回路６０により昇圧させ、昇圧させた直流電力をインバータ回路３０により交流電力に変換させ、変換させた交流電力を連係トランス４０により系統電圧に変換させ、変換させた交流電力を系統７０に連係させるように動作する。
【００２７】
また、たとえば、電力変換システム１００は、発電装置１０により発電された直流電力を発電装置チョッパ回路２０により昇圧させ、昇圧させた直流電力をインバータ回路３０により交流電力に変換させ、変換させた交流電力を連係トランス４０により系統電圧に変換させ、変換させた交流電力を系統７０に連係させながら、発電装置１０により発電された直流電力を発電装置チョッパ回路２０により昇圧させ、昇圧させた直流電力を蓄電池チョッパ回路６０により降圧させ、降圧させた直流電力により蓄電池５０を充電するように動作する。
【００２８】
また、電力変換システム１００（後述する電力変換装置２００）は、発電装置１０から供給されて発電装置チョッパ回路２０により昇圧された直流電力と、蓄電池５０から供給されて蓄電池チョッパ回路６０により昇圧された直流電力とを統合してインバータ回路３０に供給可能な回路構造（ＤＣリンク回路構造）を有している。
【００２９】
（電力変換装置の構成）
次に、図２を参照して、発電装置チョッパ回路２０、インバータ回路３０および蓄電池チョッパ回路６０を備える電力変換装置２００の構成について説明する。
【００３０】
電力変換装置２００は、発電装置チョッパ回路２０が設けられた発電装置チョッパ盤２１０と、蓄電池チョッパ回路６０が設けられた蓄電池チョッパ盤２２０と、インバータ回路３０が設けられたインバータ盤２３０とを備えている。
【００３１】
電力変換装置２００では、発電装置チョッパ盤２１０、蓄電池チョッパ盤２２０およびインバータ盤２３０は、Ｘ１方向側からＸ２方向側に向かってこの順に配列されている。また、発電装置チョッパ盤２１０、蓄電池チョッパ盤２２０およびインバータ盤２３０のうちの隣接する盤同士は、隣接面が互いに接触し、隣接面に隙間が生じないように近接して配置されている。
【００３２】
発電装置チョッパ盤２１０は、複数（２つ）の盤により構成されている。具体的には、発電装置チョッパ盤２１０は、発電装置電力変換盤２１１と、発電装置端子盤２１２とを含んでいる。発電装置電力変換盤２１１および発電装置端子盤２１２は、Ｘ１方向側からＸ２方向側に向かってこの順に配列されているとともに、隣接面が互いに接触し、隣接面に隙間が生じないように近接して配置されている。
【００３３】
発電装置電力変換盤２１１には、発電装置チョッパ回路２０と、発電装置チョッパ回路２０を冷却するための冷却ファン２１１ａが設けられている。発電装置電力変換盤２１１は、発熱体である発電装置チョッパ回路２０が設けられているため、冷却ファン２１１ａにより強制冷却する強制冷却構造を有している。
【００３４】
発電装置端子盤２１２には、発電装置１０と発電装置チョッパ回路２０との間に設けられ、発電装置１０から供給される直流電力を遮断するための第１遮断器２１２ａが設けられている。また、発電装置端子盤２１２には、盤外に配置された発電装置１０と盤内の回路とを電気的に接続するための外部接続部２１２ｂが設けられている。第１遮断器２１２ａは、発電装置チョッパ回路２０と、外部接続部２１２ｂとに電気的に接続されている。なお、発電装置端子盤２１２には、冷却ファンは設けられていない。発電装置端子盤２１２は、発熱体である発電装置チョッパ回路２０が設けられていないため、自然冷却する自然冷却構造を有している。
【００３５】
蓄電池チョッパ盤２２０は、複数（２つ）の盤により構成されている。具体的には、蓄電池チョッパ盤２２０は、蓄電池電力変換盤２２１と、蓄電池端子盤２２２とを含んでいる。蓄電池電力変換盤２２１および蓄電池端子盤２２２は、Ｘ１方向側からＸ２方向側に向かってこの順に配列されているとともに、隣接面が互いに接触し、隣接面に隙間が生じないように近接して配置されている。
【００３６】
蓄電池電力変換盤２２１には、蓄電池チョッパ回路６０と、蓄電池チョッパ回路６０を冷却するための冷却ファン２２１ａが設けられている。蓄電池電力変換盤２２１は、発熱体である蓄電池チョッパ回路６０が設けられているため、冷却ファン２２１ａにより強制冷却する強制冷却構造を有している。
【００３７】
蓄電池端子盤２２２には、蓄電池５０と蓄電池チョッパ回路６０との間に設けられ、蓄電池５０から供給される直流電力を遮断するための第２遮断器２２２ａが設けられている。また、蓄電池端子盤２２２には、盤外に配置された蓄電池５０と盤内の回路とを電気的に接続するための外部接続部２２２ｂが設けられている。第２遮断器２２２ａは、蓄電池チョッパ回路６０と、外部接続部２２２ｂとに電気的に接続されている。なお、蓄電池端子盤２２２には、冷却ファンは設けられていない。蓄電池端子盤２２２は、発熱体である蓄電池チョッパ回路６０が設けられていないため、自然冷却する自然冷却構造を有している。
【００３８】
インバータ盤２３０には、盤外に配置された連係トランス４０と盤内の回路とを電気的に接続するための外部接続部２３０ａが設けられている。インバータ回路３０は、外部接続部２３０ａと、蓄電池チョッパ回路６０と、発電装置チョッパ回路２０とに電気的に接続されている。
【００３９】
ここで、第１実施形態では、発電装置チョッパ回路２０、蓄電池チョッパ回路６０およびインバータ回路３０は、各回路が設けられた各盤内に配置された盤間配線２４０により、盤内で電気的に接続されている。
【００４０】
具体的には、蓄電池チョッパ回路６０およびインバータ回路３０は、蓄電池チョッパ盤２２０の蓄電池電力変換盤２２１の内部とインバータ盤２３０の内部との間に跨って設けられた盤間配線２４０ａにより、盤内で電気的に接続されている。また、発電装置チョッパ回路２０およびインバータ回路３０は、盤間配線２４０ａと、蓄電池チョッパ盤２２０の蓄電池電力変換盤２２１の内部と蓄電池端子盤２２２の内部との間に跨って設けられた盤間配線２４０ｂと、蓄電池チョッパ盤２２０の蓄電池端子盤２２２の内部と発電装置チョッパ盤２１０の発電装置電力変換盤２１１の内部との間に跨って設けられた盤間配線２４０ｃとにより、盤内で電気的に接続されている。
【００４１】
また、第１実施形態では、発電装置チョッパ回路２０および第１遮断器２１２ａは、発電装置チョッパ盤２１０の発電装置電力変換盤２１１の内部と発電装置チョッパ盤２１０の発電装置端子盤２１２の内部との間に跨って設けられた盤間配線２４０ｄにより、盤内で電気的に接続されている。また、蓄電池チョッパ回路６０および第２遮断器２２２ａは、盤内に配置された盤間配線２４０ｂにより、盤内で電気的に接続されている。
【００４２】
なお、盤間配線２４０は、隣接する盤間を電気的に接続するための配線であり、第１実施形態では、銅などの金属製の板状導体（ブスバ）である。盤間配線２４０は、ボルトなどの締結部材により盤内で固定される。
【００４３】
また、発電装置チョッパ盤２１０、蓄電池チョッパ盤２２０およびインバータ盤２３０は、盤間配線２４０を配置するための配線配置部２５０を有している。配線配置部２５０は、盤に形成された開口部からなる。盤の設置作業者は、たとえば、盤間配線２４０を開口部からなる配線配置部２５０に挿入し、挿入した状態で、締結部材により盤内で固定する。この場合、板状導体である盤間配線２４０を配線配置部２５０に挿入して固定するだけで良いので、盤間配線２４０の設置作業を極めて容易に行うことが可能である。
【００４４】
また、第１実施形態では、発電装置チョッパ盤２１０および蓄電池チョッパ盤２２０は、共通の位置に、盤間配線２４０を配置するための配線配置部２５０を有している。つまり、発電装置チョッパ盤２１０における配線配置部２５０の位置と、蓄電池チョッパ盤２２０における配線配置部２５０の位置とは、同じ位置に位置している。
【００４５】
具体的には、盤の配列方向（Ｘ方向）における発電装置チョッパ盤２１０（発電装置電力変換盤２１１）の一方側（Ｘ１方向側）の配線配置部２５０の位置と、盤の配列方向における蓄電池チョッパ盤２２０（蓄電池電力変換盤２２１）の一方側（Ｘ１方向側）の配線配置部２５０の位置とは、同じ位置に位置している。同様に、盤の配列方向における発電装置チョッパ盤２１０（発電装置端子盤２１２）の他方側（Ｘ２方向側）の配線配置部２５０の位置と、盤の配列方向における蓄電池チョッパ盤２２０（蓄電池端子盤２２２）の他方側（Ｘ２方向側）の配線配置部２５０の位置とは、同じ位置に位置している。つまり、発電装置チョッパ盤２１０および蓄電池チョッパ盤２２０は、互いの位置を入れ替えても盤間配線２４０を配置することが可能なように構成されている。なお、第１実施形態の電力変換装置２００では、発電装置チョッパ盤２１０（発電装置端子盤２１２）のＸ２方向側には接続対象が無いため、盤の配列方向における発電装置チョッパ盤２１０の他方側（Ｘ２方向側）の配線配置部２５０には盤間配線２４０は配置されず、たとえば蓋部材により塞がれている。
【００４６】
また、第１実施形態では、発電装置チョッパ盤２１０の発電装置電力変換盤２１１および蓄電池チョッパ盤２２０の蓄電池電力変換盤２２１は、共通の仕様の盤により構成されている。つまり、発電装置電力変換盤２１１および蓄電池電力変換盤２２１は、形状や、大きさ、内部構造、内部に配置される部品、配線配置部２５０の位置などが互いに同じである盤により構成されている。したがって、発電装置電力変換盤２１１に設けられる発電装置チョッパ回路２０および蓄電池電力変換盤２２１に設けられる蓄電池チョッパ回路６０は、共通の仕様のチョッパ回路により構成されている。また、発電装置電力変換盤２１１に設けられる冷却ファン２１１ａおよび蓄電池電力変換盤２２１に設けられる冷却ファン２２１ａは、共通の仕様の冷却ファンにより構成されている。
【００４７】
また、第１実施形態では、発電装置チョッパ盤２１０の発電装置端子盤２１２および蓄電池チョッパ盤２２０の蓄電池端子盤２２２は、共通の位置に、配線配置部２５０を有している。つまり、発電装置端子盤２１２における配線配置部２５０の位置と、蓄電池端子盤２２２における配線配置部２５０の位置とは、同じ位置に位置している。
【００４８】
具体的には、盤の配列方向（Ｘ方向）における発電装置端子盤２１２の一方側（Ｘ１方向側）の配線配置部２５０の位置と、盤の配列方向における蓄電池端子盤２２２の一方側（Ｘ１方向側）の配線配置部２５０の位置とは、同じ位置に位置している。同様に、盤の配列方向における発電装置端子盤２１２の他方側（Ｘ２方向側）の配線配置部２５０の位置と、盤の配列方向における蓄電池端子盤２２２の他方側（Ｘ２方向側）の配線配置部２５０の位置とは、同じ位置に位置している。つまり、発電装置端子盤２１２および蓄電池端子盤２２２は、互いの位置を入れ替えても盤間配線２４０を配置することが可能なように構成されている。
【００４９】
また、第１実施形態では、発電装置チョッパ盤２１０（発電装置電力変換盤２１１、発電装置端子盤２１２）、蓄電池チョッパ盤２２０（蓄電池電力変換盤２２１、蓄電池端子盤２２２）およびインバータ盤２３０のうちの隣接する盤同士では、配線配置部２５０が、互いに対向する位置に配置されている。また、発電装置チョッパ盤２１０（発電装置電力変換盤２１１、発電装置端子盤２１２）、蓄電池チョッパ盤２２０（蓄電池電力変換盤２２１、蓄電池端子盤２２２）およびインバータ盤２３０では、盤の配列方向（Ｘ方向）における一方側（Ｘ１方向側）の配線配置部２５０と、盤の配列方向（Ｘ方向）における他方側（Ｘ２方向側）の配線配置部２５０とが、略同じ高さ位置でかつ略同じ奥行き位置に配置されている。つまり、発電装置チョッパ盤２１０（発電装置電力変換盤２１１、発電装置端子盤２１２）、蓄電池チョッパ盤２２０（蓄電池電力変換盤２２１、蓄電池端子盤２２２）およびインバータ盤２３０では、各配線配置部２５０は、Ｘ方向に互いにオーバーラップする位置に配置されている。
【００５０】
（第１実施形態の効果）
第１実施形態では、以下のような効果を得ることができる。
【００５１】
第１実施形態では、上記のように、発電装置チョッパ回路２０および蓄電池チョッパ回路６０の両方と、インバータ回路３０とを、各回路が設けられた各盤内に配置された盤間配線２４０により、盤内で接続する。これにより、盤外に配置された盤間配線２４０により互いに異なる盤に設けられた回路同士を接続する場合と異なり、盤外に盤間配線２４０を配置するスペース自体を省くことができる。その結果、盤外に盤間配線２４０用のスペースを設けるための工事を行う手間を省くことができるので、盤間配線２４０の設置作業を簡素化することができる。また、盤内に盤間配線２４０が配置されるため、盤間配線２４０として絶縁物により被覆されたケーブルを用いる必要が無く、たとえば金属板などの盤間配線２４０により互いに異なる盤に設けられた回路同士を接続することができるので、盤間配線２４０の設置作業の作業性を向上させることができる。また、発電装置チョッパ回路２０、蓄電池チョッパ回路６０およびインバータ回路３０の全部を盤内で接続することができるので、盤間配線２４０の設置作業をより簡素化し、かつ、盤間配線２４０の設置作業の作業性をより向上させることができる。
【００５２】
また、第１実施形態では、上記のように、発電装置チョッパ盤２１０は、発電装置チョッパ回路２０が設けられた発電装置電力変換盤２１１と、第１遮断器２１２ａが設けられた発電装置端子盤２１２と、を含んでいる。そして、蓄電池チョッパ盤２２０は、蓄電池チョッパ回路６０が設けられた蓄電池電力変換盤２２１と、第２遮断器２２２ａが設けられた蓄電池端子盤２２２と、を含んでいる。そして、発電装置チョッパ回路２０および第１遮断器２１２ａを、発電装置チョッパ回路２０または第１遮断器２１２ａが設けられた各盤内に配置された盤間配線２４０により、盤内で互いに接続する。そして、蓄電池チョッパ回路６０および第２遮断器２２２ａを、蓄電池チョッパ回路６０または第２遮断器２２２ａが設けられた各盤内に配置された盤間配線２４０により、盤内で互いに接続する。このように、発電装置チョッパ盤２１０が、発電装置チョッパ回路２０が設けられた発電装置電力変換盤２１１と、第１遮断器２１２ａが設けられた発電装置端子盤２１２と、を含むように構成することにより、強制冷却などの強い冷却を必要とする発電装置チョッパ回路２０が設けられた発電装置電力変換盤２１１と、強い冷却を必要としない第１遮断器２１２ａが設けられた発電装置端子盤２１２とに、発電装置チョッパ盤２１０を分割することができる。その結果、発電装置チョッパ盤２１０の各盤の冷却構造を適正化することができる。同様に、蓄電池チョッパ盤２２０が、蓄電池チョッパ回路６０が設けられた蓄電池電力変換盤２２１と、第２遮断器２２２ａが設けられた蓄電池端子盤２２２と、を含むように構成することにより、強い冷却を必要とする蓄電池チョッパ回路６０が設けられた蓄電池電力変換盤２２１と、強い冷却を必要としない第２遮断器２２２ａが設けられた蓄電池端子盤２２２とに、蓄電池チョッパ盤２２０を分割することができる。その結果、蓄電池チョッパ盤２２０の各盤の冷却構造を適正化することができる。また、発電装置チョッパ回路２０および第１遮断器２１２ａが、盤内に配置された盤間配線２４０により、盤内で互いに接続されるように構成することにより、発電装置チョッパ回路２０および第１遮断器２１２ａにおいても、盤間配線２４０の設置作業を簡素化し、かつ、盤間配線２４０の設置作業の作業性を向上させることができる。発電装置チョッパ回路２０および第１遮断器２１２ａ。同様に、蓄電池チョッパ回路６０および第２遮断器２２２ａが、盤内に配置された盤間配線２４０により、盤内で互いに接続されるように構成することにより、蓄電池チョッパ回路６０および第２遮断器２２２ａにおいても、盤間配線２４０の設置作業を簡素化し、かつ、盤間配線２４０の設置作業の作業性を向上させることができる。
【００５３】
また、第１実施形態では、上記のように、発電装置チョッパ盤２１０および蓄電池チョッパ盤２２０は、共通の位置に、盤間配線２４０を配置するための配線配置部２５０を有する。これにより、配線配置部２５０の位置を発電装置チョッパ盤２１０および蓄電池チョッパ盤２２０で共通にすることができるので、発電装置チョッパ盤２１０および蓄電池チョッパ盤２２０毎に配線配置部２５０の位置を設計する必要が無い。その結果、発電装置チョッパ盤２１０および蓄電池チョッパ盤２２０の開発期間を短縮することができる。また、発電装置チョッパ盤２１０および蓄電池チョッパ盤２２０の位置を入れ替えることができるので、たとえば電力変換装置２００を購入する顧客の要求により、発電装置チョッパ盤２１０および蓄電池チョッパ盤２２０の位置を入れ替える場合にも、追加で開発することなく対応することができる。
【００５４】
また、第１実施形態では、上記のように、発電装置電力変換盤２１１および蓄電池電力変換盤２２１を、共通の仕様の盤により構成する。これにより、発電装置電力変換盤２１１および蓄電池電力変換盤２２１毎に盤を設計する必要が無いので、発電装置電力変換盤２１１および蓄電池電力変換盤２２１の開発期間を効果的に短縮することができる。なお、各チョッパ盤を分割して盤の数が多くなる場合、盤毎に開発を要するため、開発期間が長くなりやすい。このような場合に、開発期間を短縮できることは、非常に効果的である。
【００５５】
また、第１実施形態では、上記のように、発電装置端子盤２１２および蓄電池端子盤２２２は、共通の位置に、盤間配線２４０を配置するための配線配置部２５０を有する。これにより、発電装置端子盤２１２および蓄電池端子盤２２２においても、開発期間を短縮することができる。また、発電装置電力変換盤２１１および蓄電池電力変換盤２２１が共通の仕様の盤により構成されている場合に、発電装置端子盤２１２および蓄電池端子盤２２２が、共通の位置に、盤間配線２４０を配置するための配線配置部２５０を有するように構成することにより、発電装置端子盤２１２および蓄電池端子盤２２２の位置を入れ替えるだけで、発電装置チョッパ盤２１０および蓄電池チョッパ盤２２０の位置を入れ替えることができる。つまり、発電装置電力変換盤２１１および蓄電池電力変換盤２２１が共通の仕様の盤により構成されている場合、発電装置電力変換盤２１１を蓄電池電力変換盤２２１として機能させ、蓄電池電力変換盤２２１を発電装置電力変換盤２１１として機能させることができるので、発電装置端子盤２１２および蓄電池端子盤２２２の位置を入れ替えれば、実質的に、発電装置チョッパ盤２１０および蓄電池チョッパ盤２２０の位置を入れ替えることができる。その結果、発電装置チョッパ盤２１０および蓄電池チョッパ盤２２０の位置を入れ替える場合に、入れ替え作業の作業性を向上させることができる。
【００５６】
また、第１実施形態では、上記のように、発電装置チョッパ盤２１０、蓄電池チョッパ盤２２０およびインバータ盤のうちの隣接する盤同士では、盤間配線２４０を配置するための配線配置部２５０を、互いに対向する位置に配置する。これにより、盤間配線２４０の形状を簡素化することができるとともに、盤間配線２４０の長さを小さくすることができる。
【００５７】
［第２実施形態］
次に、図３を参照して、第２実施形態について説明する。この第２実施形態では、発電装置電力変換盤と蓄電池電力変換盤とが１つずつ設けられた上記第１実施形態と異なり、発電装置電力変換盤と蓄電池電力変換盤が複数ずつ設けられる例について説明する。なお、上記第１実施形態と同一の構成については、図中において同じ符号を付して図示し、その説明を省略する。
【００５８】
（電力変換装置の構成）
本発明の第２実施形態による電力変換装置３００は、図３に示すように、発電装置チョッパ盤３１０と、蓄電池チョッパ盤３２０とを備える点で、上記第１実施形態の電力変換装置２００と相違する。
【００５９】
第２実施形態では、発電装置チョッパ盤３１０は、複数（３つ）の盤により構成されている。具体的には、発電装置チョッパ盤３１０は、複数（２つ）の発電装置電力変換盤２１１と、発電装置端子盤２１２とを含んでいる。以下では、Ｘ１方向側の発電装置電力変換盤２１１を、発電装置電力変換盤３１１ａとし、Ｘ２方向側の発電装置電力変換盤２１１を、発電装置電力変換盤３１１ｂとする。発電装置電力変換盤３１１ａ、発電装置電力変換盤３１１ｂおよび発電装置端子盤２１２は、Ｘ１方向側からＸ２方向側に向かってこの順に配列されているとともに、隣接面が互いに接触し、隣接面に隙間が生じないように近接して配置されている。
【００６０】
また、第２実施形態では、発電装置電力変換盤３１１ａの発電装置チョッパ回路２０および発電装置電力変換盤３１１ｂの発電装置チョッパ回路２０は、発電装置電力変換盤３１１ａの内部と発電装置電力変換盤３１１ｂの内部との間に跨って設けられた盤間配線３４０ａにより、盤内で電気的に接続されている。
【００６１】
また、複数（２つ）の発電装置電力変換盤３１１ａおよび３１１ｂは、互いに共通の仕様の盤により構成されている。
【００６２】
また、第２実施形態では、蓄電池チョッパ盤３２０は、複数（３つ）の盤により構成されている。具体的には、蓄電池チョッパ盤３２０は、複数（２つ）の蓄電池電力変換盤２２１と、蓄電池端子盤２２２とを含んでいる。以下では、Ｘ１方向側の蓄電池電力変換盤２２１を、蓄電池電力変換盤３２１ａとし、Ｘ２方向側の蓄電池電力変換盤２２１を、蓄電池電力変換盤３２１ｂとする。蓄電池電力変換盤３２１ａ、蓄電池電力変換盤３２１ｂおよび蓄電池端子盤２２２は、Ｘ１方向側からＸ２方向側に向かってこの順に配列されているとともに、隣接面が互いに接触し、隣接面に隙間が生じないように近接して配置されている。
【００６３】
また、第２実施形態では、蓄電池電力変換盤３２１ａの蓄電池チョッパ回路６０および蓄電池電力変換盤３２１ｂの蓄電池チョッパ回路６０は、蓄電池電力変換盤３２１ａの内部と蓄電池電力変換盤３２１ｂの内部との間に跨って設けられた盤間配線３４０ｂにより、盤内で電気的に接続されている。
【００６４】
また、複数（２つ）の蓄電池電力変換盤３２１ａおよび３２１ｂは、互いに共通の仕様の盤により構成されている。
【００６５】
また、第２実施形態では、２つの発電装置電力変換盤３１１ａおよび３１１ｂは、互いに隣接するように配置されている。また、隣接する発電装置電力変換盤３１１ａおよび３１１ｂ同士では、盤間配線３４０ａを配置するための配線配置部２５０が、互いに対向する位置に配置されている。同様に、２つの蓄電池電力変換盤３２１ａおよび３２１ｂは、互いに隣接するように配置されている。また、隣接する蓄電池電力変換盤３２１ａおよび３２１ｂ同士では、盤間配線３４０ｂを配置するための配線配置部２５０が、互いに対向する位置に配置されている。
【００６６】
なお、第２実施形態のその他の構成は、上記第１実施形態と同様である。
【００６７】
（第２実施形態の効果）
第２実施形態では、以下のような効果を得ることができる。
【００６８】
第２実施形態では、上記のように、発電装置電力変換盤３１１ａの発電装置チョッパ回路２０および発電装置電力変換盤３１１ｂの発電装置チョッパ回路２０を、発電装置電力変換盤３１１ａの内部と発電装置電力変換盤３１１ｂの内部との間に跨って設けられた盤間配線３４０ａにより、盤内で接続する。これにより、互いに異なる盤に設けられた発電装置チョッパ回路２０同士を接続する場合にも、盤間配線３４０ａの設置作業を簡素化し、かつ、盤間配線３４０ａの設置作業の作業性を向上させることができる。
【００６９】
また、第２実施形態では、上記のように、蓄電池電力変換盤３２１ａの蓄電池チョッパ回路６０および蓄電池電力変換盤３２１ｂの蓄電池チョッパ回路６０を、蓄電池電力変換盤３２１ａの内部と蓄電池電力変換盤３２１ｂの内部との間に跨って設けられた盤間配線３４０ｂにより、盤内で接続する。これにより、互いに異なる盤に設けられた蓄電池チョッパ回路６０同士を接続する場合にも、盤間配線３４０ｂの設置作業を簡素化し、かつ、盤間配線３４０ｂの設置作業の作業性を向上させることができる。
【００７０】
また、第２実施形態では、上記のように、発電装置チョッパ盤３１０は、複数の発電装置電力変換盤２１１（３１１ａおよび３１１ｂ）を含んでいる。そして、複数の発電装置電力変換盤２１１（３１１ａおよび３１１ｂ）を、互いに共通の仕様の盤により構成する。これにより、発電装置電力変換盤２１１の数を増減させるだけで、容易に、発電装置チョッパ盤３１０で扱うことが可能な電力容量を変更することができる。その結果、たとえば電力変換装置３００を購入する顧客の要求により、発電装置チョッパ盤３１０の電力容量を変更する場合にも、追加で開発することなく対応することができる。
【００７１】
また、第２実施形態では、上記のように、蓄電池チョッパ盤３２０は、複数の蓄電池電力変換盤２２１（３２１ａおよび３２１ｂ）を含んでいる。そして、複数の蓄電池電力変換盤２２１（３２１ａおよび３２１ｂ）を、互いに共通の仕様の盤により構成する。これにより、蓄電池電力変換盤２２１の数を増減させるだけで、容易に、蓄電池チョッパ盤３２０で扱うことが可能な電力容量を変更することができる。その結果、たとえば電力変換装置３００を購入する顧客の要求により、蓄電池チョッパ盤３２０の電力容量を変更する場合にも、追加で開発することなく対応することができる。
【００７２】
また、第２実施形態では、上記のように、発電装置電力変換盤２１１（３１１ａおよび３１１ｂ）および蓄電池電力変換盤２２１（３２１ａおよび３２１ｂ）はそれぞれ２つ設けられており、２つの発電装置電力変換盤２１１（３１１ａおよび３１１ｂ）または蓄電池電力変換盤２２１（３２１ａおよび３２１ｂ）を、互いに隣接するように配置する。そして、２つの発電装置電力変換盤２１１（３１１ａおよび３１１ｂ）または蓄電池電力変換盤２２１（３２１ａおよび３２１ｂ）のうちの隣接する盤同士では、盤間配線３４０ａ（３４０ｂ）を配置するための配線配置部２５０を、互いに対向する位置に配置する。このように構成すれば、２つの発電装置電力変換盤２１１（３１１ａおよび３１１ｂ）または蓄電池電力変換盤２２１（３２１ａおよび３２１ｂ）においても、盤間配線３４０ａ（３４０ｂ）の形状を簡素化することができるとともに、盤間配線３４０ａ（３４０ｂ）の長さを小さくすることができる。
【００７３】
なお、第２実施形態のその他の効果は、上記第１実施形態と同様である。
【００７４】
［変形例］
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００７５】
たとえば、上記第１および第２実施形態では、発電装置が、太陽光電池である例を示したが、本発明はこれに限られない。たとえば、発電装置が、風力発電装置や燃料電池などの発電装置であってもよい。
【００７６】
また、上記第１および第２実施形態では、発電装置チョッパ回路および蓄電池チョッパ回路の両方と、インバータ回路とが、盤間配線により、盤内で接続されている例を示したが、本発明はこれに限られない。本発明では、発電装置チョッパ回路および蓄電池チョッパ回路の少なくともいずれか一方と、インバータ回路とが、盤間配線により、盤内で接続されていればよい。
【００７７】
また、上記第１および第２実施形態では、発電装置チョッパ盤および蓄電池チョッパ盤が、複数の盤により構成されている例を示したが、本発明はこれに限られない。本発明では、発電装置チョッパ盤が、単一の盤により構成されていてもよい。また、蓄電池チョッパ盤が、単一の盤により構成されていてもよい。
【００７８】
また、上記第１および第２実施形態では、発電装置チョッパ盤および蓄電池チョッパ盤が、共通の位置に、盤間配線を配置するための配線配置部を有している例を示したが、本発明はこれに限られない。本発明では、互いに異なる盤に設けられた回路同士を盤間配線により接続可能であれば、発電装置チョッパ盤および蓄電池チョッパ盤が、共通しない位置に、配線配置部を有していてもよい。
【００７９】
また、上記第１および第２実施形態では、発電装置電力変換盤および蓄電池電力変換盤が、共通の仕様の盤により構成されている例を示したが、本発明はこれに限られない。本発明では、発電装置電力変換盤および蓄電池電力変換盤が、必ずしも共通の仕様の盤により構成されていなくてもよい。
【００８０】
また、上記第１および第２実施形態では、盤間配線が、金属製の板状導体である例を示したが、本発明はこれに限られない。本発明では、盤間配線は、互いに異なる盤に設けられた回路同士を接続可能であれば、必ずしも金属製の板状導体でなくてもよい。
【００８１】
また、上記第１および第２実施形態では、発電装置チョッパ盤、蓄電池チョッパ盤およびインバータ盤が、この順に配列されている例を示したが、本発明はこれに限られない。本発明では、発電装置チョッパ盤、蓄電池チョッパ盤およびインバータ盤は、どのような順序で配列されていてもよい。
【符号の説明】
【００８２】
１０  発電装置
２０  発電装置チョッパ回路
３０  インバータ回路
５０  蓄電池
６０  蓄電池チョッパ回路
１００  電力変換システム
２００、３００  電力変換装置
２１０、３１０  発電装置チョッパ盤
２１１、３１１ａ、３１１ｂ  発電装置電力変換盤
２１２  発電装置端子盤
２１２ａ  第１遮断器
２２０、３２０  蓄電池チョッパ盤
２２１、３２１ａ、３２１ｂ  蓄電池電力変換盤
２２２  蓄電池端子盤
２２２ａ  第２遮断器
２３０  インバータ盤
２４０、２４０ａ、２４０ｂ、２４０ｃ、２４０ｄ、３４０ａ、３４０ｂ  盤間配線
２５０  配線配置部
【図１】
2019037074.tif 000003
【図２】
2019037074.tif 000004
【図３】
2019037074.tif 000005